(57)【要約】【課題】意図していない放送素材の中継が行われてしまうことを防止しつつ、可用性の高い放送素材中継システムを提供する。【解決手段】発信元機器１０は、放送素材と共に、当該放送素材の中継に用いるＦＰＵ受信機の機器ＩＤを中継受信機識別情報としてＴＭＣＣキャリアに重畳して無線送信する。ＦＰＵ受信機３０は、放送素材と共に受信した中継受信機識別情報が自機の機器ＩＤと一致する場合に、当該放送素材をＦＰＵ受信機３０に接続されたＦＰＵ送信機により無線送信させる。【選択図】図４
2019097092.tif 000002
【特許請求の範囲】
【請求項１】
発信元機器から無線送信された放送素材を中継点に設置された受信機及び送信機を用いて中継する放送素材中継システムにおいて、
前記発信元機器は、放送素材と共に、当該放送素材の中継に用いる受信機を識別する中継受信機識別情報を無線送信し、
前記受信機は、放送素材と共に受信した前記中継受信機識別情報が自機の識別情報と一致する場合に、当該放送素材を前記送信機により無線送信させることを特徴とする放送素材中継システム。
【請求項２】
請求項１に記載の放送素材中継システムにおいて、
前記発信元機器は、前記放送素材と共に前記中継受信機識別情報及び自機の識別情報を無線送信し、
前記受信機は、放送素材と共に受信した前記中継受信機識別情報が自機の識別情報と一致する場合に、前記発信元機器の識別情報を当該放送素材と共に前記送信機により無線送信させることを特徴とする放送素材中継システム。
【請求項３】
請求項１又は請求項２に記載の放送素材中継システムにおいて、
前記受信機は、放送素材と共に受信した前記中継受信機識別情報が自機の識別情報と一致する場合に、自機の識別情報を当該放送素材と共に前記送信機により無線送信させることを特徴とする放送素材中継システム。
【請求項４】
請求項１乃至請求項３のいずれかに記載の放送素材中継システムにおいて、
前記発信元機器は、放送素材の中継に使用できる受信機を提示し、その中から操作者に選択された受信機の識別情報を前記中継受信機識別情報として放送素材と共に送信することを特徴とする放送素材中継システム。
【請求項５】
発信元機器から無線送信された放送素材を受信機及び当該受信機と接続された送信機を用いて中継する放送素材中継方法において、
前記発信元機器が、放送素材と共に、当該放送素材の中継に用いる受信機を識別する中継受信機識別情報を無線送信し、
前記受信機が、放送素材と共に受信した前記中継受信機識別情報が自機の識別情報と一致する場合に、当該放送素材を前記送信機により無線送信させることを特徴とする放送素材中継方法。
【発明の詳細な説明】
【技術分野】
【０００１】
本発明は、発信元機器から無線送信された放送素材を中継する放送素材中継システムに関する。
【背景技術】
【０００２】
遠隔地間での放送素材の伝送を実現するために、放送素材の発信元と発信先の間の１以上の地点にＦＰＵ（Field Pickup Unit）の受信機及び送信機を設置して、中継点とする運用方法がある。しかしながら、遠隔操作による制御ですら困難な山中にＦＰＵが設置された場合は、そのＦＰＵは独立して動作することになる。
【０００３】
図１は、ＦＰＵを用いた中継動作の概要を示す図である。同図では、放送素材の発信元となる地点に発信元送信機（ＴＸ−１）を設置し、発信先となる地点に発信先受信機（ＲＸ−２）を設置し、その間の地点にＦＰＵ受信機（ＲＸ−１）及びＦＰＵ送信機（ＴＸ−２）を設置してある。ＦＰＵ受信機（ＲＸ−１）とＦＰＵ送信機（ＴＸ−２）は、中継する信号の受け渡しに用いるＤＶＢ−ＡＳＩ（Digital Video Broadcasting - Asynchronous Serial Interface）等の規格のケーブルで接続される。また、ＦＰＵ受信機とＦＰＵ送信機の間には、中継動作を制御するための中継ＦＰＵ制御装置が配設される。
【０００４】
ＦＰＵ受信機は、発信元送信機（ＴＸ−１）から送信された信号を受信すると、その信号をＦＰＵ送信機に受け渡すと共に、受信電界やＢＥＲ（Bit Error Rate）などの受信状態を算出して中継ＦＰＵ制御装置へ出力する。中継ＦＰＵ制御装置は、受信状態を示す情報を元に、中継動作を制御するための送信機制御情報を生成してＦＰＵ送信機へ出力する。ＦＰＵ送信機は、送信機制御情報に基づいて、ＦＰＵ受信機から受け渡された信号を発信先受信機（ＲＸ−２）へ向けて発放（送信）する。中継ＦＰＵ制御装置は、ＦＰＵ受信機に内蔵されることもある。
【先行技術文献】
【特許文献】
【０００５】
【特許文献１】特開２００３−３０９５３６号公報
【発明の概要】
【発明が解決しようとする課題】
【０００６】
ＦＰＵの遠隔操作・監視なしに遠隔地への中継を行う場合、ＦＰＵは予め設定されたチャンネルでのみ動作する。ここで、図２を参照して、本来の中継とは全く別の運用の送信機（図中のＴＸ−ｘ）によって、中継用のチャンネルと同じチャンネルが用いられた場合を考える。中継動作を行うＦＰＵ受信機（ＲＸ−１）に、微弱ながらも復号できる受信レベルでその信号が届くと、同地点に設置されたＦＰＵ送信機（ＴＸ−２）に対して中継動作を行うように命令するので、ＦＰＵ送信機は全く別の運用の放送素材を送信してしまう。このように、ＦＰＵは独立して運用されるよう設置されているので、本来の目的や意図とは関係なく、受信した信号の中継動作を行う。このため、ＦＰＵが発放に用いるチャンネルの本来の運用に影響を与える可能性が生じる。
【０００７】
この問題を解決するために、以下に説明するように、特許文献１に開示された既存の技術を活用することも考えられる。
この技術は、図３に示すように、ＡＲＩＢ  ＳＴＤ−Ｂ３３に準拠したＦＰＵでは、ＦＰＵ受信機が自動で復調動作を実施するように、発信元送信機から伝送パラメータがＴＭＣＣ（Transmission and Multiplexing Configuration and Control）キャリアを用いて伝送されており、このＴＭＣＣキャリアの余剰部分に発信元送信機の識別情報を重畳するものである。この技術を利用して、中継動作を行うＦＰＵを設置する際、ＦＰＵ受信機（ＲＸ−１）に、これと対となる発信元送信機（ＴＸ−１）の識別情報を記憶させ、その送信機からの電波を受けたときに限定して中継動作を実施させるというものである。
【０００８】
上記の方法によれば、同一チャンネルを使用した別回線の電波をＦＰＵで受信した場合でも、ＲＸ−１と対をなすＴＸ−１を表す識別情報がＴＭＣＣキャリアに重畳されていなければ、中継する必要がないと判断して中継動作を行わないよう制御できるので、上記の問題を回避することができる。しかしながら、仮に発信元送信機（ＴＸ−１）をメンテナンスで別の送信機（ＴＸ−Ｎ）と交換する場合、ＦＰＵ受信機の設置場所に作業員が赴いて、新たな送信機の識別情報をＦＰＵ受信機に記憶させる作業が必要となるので、システムの可用性が低下してしまう懸念がある。
【０００９】
本発明は、上記のような従来の事情に鑑みて為されたものであり、意図していない放送素材の中継が行われてしまうことを防止しつつ、可用性の高い放送素材中継システムを提供することを目的とする。
【課題を解決するための手段】
【００１０】
上記の目的を達成するために、本発明では放送素材中継システムを以下のように構成した。すなわち、発信元機器から無線送信された放送素材を中継点に設置された受信機及び送信機を用いて中継する放送素材中継システムにおいて、前記発信元機器は、放送素材と共に、当該放送素材の中継に用いる受信機を識別する中継受信機識別情報を無線送信し、前記受信機は、放送素材と共に受信した前記中継受信機識別情報が自機の識別情報と一致する場合に、当該放送素材を前記送信機により無線送信させることを特徴とする。
【００１１】
これにより、放送素材と共に送信された中継受信機識別情報と同じ識別情報を持つ受信機によって放送素材が受信された場合に、その中継点にある送信機から放送素材が送信されるので、意図していない放送素材の中継が行われてしまうことを防止できる。また、発信元機器を交換する場合には、交換後の発信元機器に中継受信機識別情報を設定するだけで済み、作業員が中継点に赴いて作業する必要がないので、システムの可用性が低下することを抑制できる。
【００１２】
ここで、一構成例として、前記発信元機器は、前記放送素材と共に前記中継受信機識別情報及び自機の識別情報を無線送信し、前記受信機は、放送素材と共に受信した前記中継受信機識別情報が自機の識別情報と一致する場合に、前記発信元機器の識別情報を当該放送素材と共に前記送信機により無線送信させる構成としてもよい。これにより、放送素材がどの発信元から送信されたのかを中継先で把握できるようになる。
【００１３】
また、一構成例として、前記受信機は、放送素材と共に受信した前記中継受信機識別情報が自機の識別情報と一致する場合に、自機の識別情報を当該放送素材と共に前記送信機により無線送信させる構成としてもよい。これにより、放送素材がどのような経路で中継されたのかを中継先で把握できるようになる。
【００１４】
また、一構成例として、前記発信元機器は、放送素材の中継に使用できる受信機を提示し、その中から操作者に選択された受信機の識別情報を前記中継受信機識別情報として放送素材と共に送信する構成としてもよい。これにより、発信元機器で受信機を選択するだけで、その受信機を用いて放送素材の中継を行うことができる。
【発明の効果】
【００１５】
本発明によれば、意図していない放送素材の中継が行われてしまうことを防止しつつ、可用性の高い放送素材中継システムを提供することができる。
【図面の簡単な説明】
【００１６】
【図１】ＦＰＵを用いた中継動作の概要を示す図である。
【図２】従来の放送素材伝送システムの問題点を説明する図である。
【図３】従来技術を利用した問題解決策について説明する図である。
【図４】本発明の第１実施例に係る問題解決策について説明する図である。
【図５】第１実施例に係る発信元機器の構成例を示す図である。
【図６】第１実施例に係るＦＰＵ受信機の構成例を示す図である。
【図７】第１実施例に係るＦＰＵ受信機による識別情報の検証例を示す図である。
【図８】本発明の第２実施例に係る問題解決策について説明する図である。
【図９】第２実施例に係る発信元機器の構成例を示す図である。
【図１０】第２実施例に係るＦＰＵ受信機の構成例を示す図である。
【図１１】第３実施例に係る発信元機器による表示例を示す図である。
【図１２】第３実施例に係る発信元機器の構成例を示す図である。
【発明を実施するための形態】
【００１７】
本発明の一実施形態に係る放送素材伝送システムについて、図面を参照して説明する。
本実施形態に係る放送素材伝送システムは、発信元機器から無線送信された放送素材を、中継点に設置されたＦＰＵ受信機及びＦＰＵ送信機を用いて発信先機器まで中継するものである。概略的なシステム構成は、図１を参照して説明したものと同様であり、以下では、ＦＰＵ受信機が中継ＦＰＵ制御装置の機能を内蔵した構成を例にして説明するが、図１と同様にＦＰＵ受信機とは別体の中継ＦＰＵ制御装置を設けても構わない。
【００１８】
（第１実施例）
放送素材の発信元となる発信元機器から送信される信号は、フレーム単位で、主データＤとＴＭＣＣとで構成される。図４に示すように、第１実施例では、ＴＭＣＣを、ＳＹＮＣパターンおよび主データの設定情報を示すビットパターンおよび余剰部分を有するＴＭＣＣ１と、ＴＭＣＣ１中の余剰部分に配置する中継受信機識別情報を示すビットパターンを有するＴＭＣＣ２とを用いて構成している。すなわち、ＴＭＣＣの余剰部分に、放送素材の中継に用いるＦＰＵ受信機を識別する中継受信機識別情報を重畳するものである。なお、複数回の中継が必要な場合には、ＴＭＣＣの余剰部分に、中継に用いる複数のＦＰＵ受信機をそれぞれ識別する複数の中継受信機識別情報が重畳される。
【００１９】
図５には、第１実施例に係る発信元機器１０の構成例を示してある。発信元機器１０は、エンコーダ１１、伝送路符号化部１２、主データ変調部１３、ＴＭＣＣ発生器１４、操作部１５、識別情報記憶部１６、映像処理部１７、ＬＣＤ（Liquid Crystal Display）部１８、ＯＦＤＭ（Orthogonal Frequency Division Multiplexing）フレーム構成部１９、送信高周波部２０、アンテナ２１を備えている。
【００２０】
映像入力（放送素材データ）は、エンコーダ１１によりＭＰＥＧ−２等の所定のエンコード方式で圧縮されて圧縮データＤａｔａとなる。この圧縮データが主データとなる。変調モード等の設定情報が補助データとなる。
圧縮データＤａｔａは、伝送路符号化部１２によりデータＤｓとなる。伝送路符号化部１２では、例えば、２０４Ｗ（ワード）周期に存在するコード４７ｈを検出し、８周期毎に４７ｈをＢ８ｈに置換するとともに、特定のパターンで信号を反転するエネルギー拡散処理を行い、データ順を並べ替えるインタリーブを行い、訂正用のパリティを付加し、データＤｓを作る。１Ｗは８ビットであるから、１３０５６ビット毎にＢ８ｈが存在することになる。
【００２１】
データＤｓは、主データ変調器１３に入力される。例えば、所定データ毎にマッピングされ、主データＤとなる。主データＤを作成する条件である設定情報（正しくは設定情報を示すビットパターン）が、主データ変調部１３のモード設定端子とＴＭＣＣ生成部１４へ入力される。主データ変調部１３は、ＴＭＣＣ発生器１４からのフレームパルスに応じて変調動作を行う。
【００２２】
ＯＦＤＭフレーム構成部１９は、主データ変調部１３から出力された主データＤと、ＴＭＣＣ発生器１４から発生されたＴＭＣＣ１と、識別情報記憶部１６から出力された中継受信機識別情報を示すＴＭＣＣ２と、ＣＰ（Continual Pilot）と、ＡＵＸ（Auxiliary）と、ＮＵＬＬとが入力され、ＯＦＤＭ変調を行って、１３０ＭＨｚを中心とした帯域約１７ＭＨｚのマルチキャリアからなるＯＦＤＭ信号を出力する。
【００２３】
ＯＦＤＭフレーム構成部１９から出力されたＯＦＤＭ信号は、送信高周波部２０に送られて、マイクロ波の信号に周波数変換され、電力増幅され、ＲＦ信号となる。そして、アンテナ２１から電波として送信される。
【００２４】
識別情報記憶部１６は、異なる中継点にある複数のＦＰＵ受信機の位置やチャンネル等を示すＦＰＵ情報を記憶すると共に、放送素材の中継に用いるＦＰＵ受信機を識別する中継受信機識別情報を記憶する。映像処理部１７は、識別情報記憶部１６に記憶されているＦＰＵ情報に基づく画面をＬＣＤ部１８に表示して、本システムで使用できるＦＰＵ受信機を操作者に提示する。操作者は、操作部１５の操作により、放送素材の中継に用いるＦＰＵ受信機を選択することができる。操作部１５は、例えば、タッチパネルにより実現される。選択されたＦＰＵ受信機の識別情報は、中継受信機識別情報として識別情報記憶部１６に記憶され、放送素材の送信時にＯＦＤＭフレーム構成部１９へ出力される。
【００２５】
図６には、第１実施例に係るＦＰＵ受信機３０の構成例を示してある。ＦＰＵ受信機３０は、アンテナ３１、受信高周波部３２、分離部３３、主データ復調部３４、ＴＭＣＣ復号部３５、伝送路復号化部３６、デコーダ３７、識別情報復号部３８、機器情報記憶部３９、識別情報比較部４０、送信機制御情報生成部４１を備えている。ＦＰＵ受信機３０は、ＦＰＵを構成するＦＰＵ送信機と共に中継点に配備される。
【００２６】
アンテナ３１に到達した電波のＲＦ信号は、受信高周波部３２に入力される。受信高周波部３２は微弱な信号を増幅し、１３０ＭＨｚの中間周波信号ＩＦに変換する。このＩＦ信号は分離部３３に入力される。
【００２７】
ＩＦ信号は、分離部３３によって、主データＤとＴＭＣＣとに分離復調される。主データＤは主データ復調部３４に入力され、ＴＭＣＣはＴＭＣＣ復号部３５と識別信号復号部３８に入力される。また、ＴＭＣＣ復号部３５が入力データから抽出した情報を元に再生したフレームパルスが、主データ復調部３４に送られる。
【００２８】
分離部３３、主データ復調部３４は、フレームパルスを基準として復調を行う。さらに、ＴＭＣＣ復号部３５が抽出した各種設定情報は、主データ復調部３４のモード設定端子に入力され、出力データＤｓを作成する条件の決定に使用される。主データ復調部３４の出力データＤｓは、伝送路復号化部３６に入力される。
【００２９】
伝送路復号化部３６は、例えば、１３０５６ビット周期に存在するＢ８ｈのコードを検出し、この位置を基準に発生したパルスより、逆エネルギー拡散のパターンを発生させる。次に、この逆エネルギー拡散のパターン信号を用いて、データＤｓの逆処理を行い、かつエラー訂正を行い、圧縮データＤａｔａを復元して、デコーダ部３７に送る。デコーダ部３７では、復元した圧縮データＤａｔａを伸長し、発信側機器での圧縮前の放送素材データに戻す。この放送素材データは、ＦＰＵ送信機へと受け渡される。
【００３０】
識別信号復号部３８は、ＴＭＣＣから中継送信機識別情報を復号する。復号された中継送信機識別情報は、識別情報比較部４０に入力される。また、機器情報記憶部３９には、自機の識別情報が格納されており、識別情報比較部４０に入力される。
識別情報比較部４０は、中継送信機識別情報（識別情報Ｘ）と自機の識別情報（識別情報Ｙ）とを比較し、両者が一致するか否かを判定する。そして、一致する場合には、放送素材の発放を許可する発放ＯＫを出力し、不一致の場合には、放送素材の発放を禁止する発放ＮＧを出力する。
【００３１】
送信機制御情報生成部４１は、識別情報比較部４０から発放ＯＫが出力されると、信号の受信状態を示す情報を元に送信機制御情報を生成し、ＦＰＵ送信機へ出力する。
送信機制御情報を受けたＦＰＵ送信機は、ＦＰＵ受信機から受け渡された放送素材データを送信機制御情報に従って処理し、発信先受信機へ向けて送信（発放）する。
【００３２】
図７には、第１実施例に係るＦＰＵ受信機３０による識別情報の検証例を示してある。ここでは、ＦＰＵ受信機を識別する識別情報の一例として、ＡＳＣＩＩコードで示す８バイトの機器ＩＤを個々のＦＰＵ受信機３０に設定してある。発信元機器１０は、放送素材の中継に用いるＦＰＵ受信機の機器ＩＤをＴＭＣＣキャリアに重畳して発放する。その電波を受信したＦＰＵ受信機３０は、ＴＭＣＣキャリアに重畳された機器ＩＤと自己の機器ＩＤとを比較し、現在受信している電波が自分に向けられているものかどうかを判断する。図７の例では、５バイト目と７バイト目の値が一致していないため、ＦＰＵ受信機３０は自己宛の放送素材ではないと判断し、ＦＰＵ送信機による中継は行わない。
【００３３】
以上のように、第１実施例では、発信元機器１０が、放送素材と共に、当該放送素材の中継に用いるＦＰＵ受信機の機器ＩＤを中継受信機識別情報としてＴＭＣＣキャリアに重畳して無線送信し、ＦＰＵ受信機３０が、放送素材と共に受信した中継受信機識別情報が自機の機器ＩＤと一致する場合に、当該放送素材をＦＰＵ送信機により無線送信させるように構成してある。
【００３４】
（第２実施例）
第２実施例では、映像や音声などのデータを伝送するためのＴＳ（Transport Stream）信号におけるＮＵＬＬキャリアに中継受信機識別情報を重畳させる。ＴＳ信号には、レート調整のためにスタッフィングに用いるＮＵＬＬパケットが存在するので、このＮＵＬＬパケットのアダプテーションフィールド（Adaptation Field）に中継受信機識別情報を重畳させるものである（図８参照）。ここでは、中継受信機識別情報として、各機器を識別するＭＡＣアドレスを用いる。なお、複数回の中継が必要な場合には、ＴＳ信号のＮＵＬＬパケットに、中継に用いる複数のＦＰＵ受信機をそれぞれ識別する複数の中継受信機識別情報が重畳される。
【００３５】
図９には、第２実施例に係る発信元機器５０の構成例を示してある。発信元機器５０は、エンコーダ５１、ＴＳパラレルシリアル変換部５２、ＮＵＬＬパケット分離部５３、巡回カウンタ再生成部５４、識別情報記憶部５５、ストリーム生成部５６、主データ変調部５７、ＯＦＤＭフレーム構成部５８、送信高周波部５９、アンテナ６０を備えている。
【００３６】
映像入力（放送素材データ）は、エンコーダ５１によりＭＰＥＧ−２等の所定のエンコード方式で圧縮されて圧縮データＤａｔａとなる。ここでは、圧縮データＤａｔａとして、映像入力をＭＰＥＧ−２方式でエンコードして得られるＴＳ信号が出力されるものとする。エンコーダ５１から出力されたＴＳ信号は、ＴＳパラレルシリアル変換部５２でパラレル信号からシリアル信号に変換された後、ＮＵＬＬパケット分離部５３でＮＵＬＬパケットとそれ以外のパケットに分離される。
【００３７】
ＮＵＬＬパケット分離部５３で分離されたＮＵＬＬパケットは、ストリーム生成部５６において、中継に用いるＦＰＵ受信機のＭＡＣアドレスが中継受信機識別情報として書き込まれる。ストリーム生成部５６は、ＮＵＬＬパケットのＰＩＤを、本来の値である「１ＦＦＦ」から識別信号伝送用の値である「１ＦＦＤ」に書き換えると共に、巡回カウンタ（Continuity Counter）を付加し直す。その後、このＮＵＬＬパケットのアダプテーションフィールドに受信機のＭＡＣアドレス（１２バイト）を書き込む。ＮＵＬＬパケットに付加し直す巡回カウンタは、巡回カウンタ再生成部５６により再生成される。また、ＮＵＬＬパケットに書き込むＦＰＵ受信機のＭＡＣアドレスは、識別情報記憶部５５に予め設定されている。
【００３８】
ＦＰＵ受信機のＭＡＣアドレスが重畳されたＮＵＬＬパケットは、その後、主データ変調部５７、ＯＦＤＭフレーム構成部５８、送信高周波部５９による処理を経て、アンテナ６０から送信される。一方、ＮＵＬＬパケット分離部５３で分離された他のパケット（ＮＵＬＬパケット以外）については、従来通りに処理される。なお、主データ変調部５７、ＯＦＤＭフレーム構成部５８、送信高周波部５９は、第１実施例に係る発信元機器１０の主データ変調部１３、ＯＦＤＭフレーム構成部１９（ＴＭＣＣ２に係る処理を除く）、送信高周波部２０、アンテナ２１と同様の動作を行うので、具体的な説明は省略する。
【００３９】
図１０には、第２実施例に係るＦＰＵ受信機７０の構成例を示してある。ＦＰＵ受信機７０は、アンテナ７１、受信高周波部７２、分離部７３、主データ復調部７４、ＴＭＣＣ復号部７５、伝送路復号化部７６、デコーダ７７、識別情報復号部７８、機器情報記憶部７９、識別情報比較部８０、送信機制御情報生成部８１を備えている。
【００４０】
なお、アンテナ７１、受信高周波部７２、分離部７３、主データ復調部７４、ＴＭＣＣ復号部７５、伝送路復号化部７６、デコーダ７７は、第１実施例に係るＦＰＵ受信機３０のアンテナ３１、受信高周波部３２、分離部３３、主データ復調部３４、ＴＭＣＣ復号部３５、伝送路復号化部３６、デコーダ３７と同様の動作を行うので、具体的な説明は省略する。
【００４１】
識別信号復号部７８は、伝送路復号化部７６で復号されたＴＳ信号から、ＰＩＤに「１ＦＦＤ」が格納されているパケットを抽出し、そのパケットのアダプテーションフィールドに格納されている中継受信機識別情報を抽出する。抽出された中継送信機識別情報は、識別情報比較部８０に入力される。また、機器情報記憶部７９には、自機のＭＡＣアドレスが格納されており、識別情報比較部４０に入力される。
識別情報比較部８０は、中継送信機識別情報（識別情報Ｘ）と自機のＭＡＣアドレス（識別情報Ｙ）とを比較し、両者が一致するか否かを判定する。そして、両者が一致する場合には、放送素材の発放を許可する発放ＯＫを出力し、不一致の場合には、放送素材の発放を禁止する発放ＮＧを出力する。
【００４２】
送信機制御情報生成部８１は、識別情報比較部８０から発放ＯＫが出力されると、信号の受信状態を示す情報を元に送信機制御情報を生成し、ＦＰＵ送信機へ出力する。
送信機制御情報を受けたＦＰＵ送信機は、ＦＰＵ受信機から受け渡された放送素材データを送信機制御情報に従って処理し、発信先受信機へ向けて送信（発放）する。
【００４３】
以上のように、第２実施例では、発信元機器５０が、放送素材と共に、当該放送素材の中継に用いるＦＰＵ受信機のＭＡＣアドレスを中継受信機識別情報としてＴＳ信号のＮＵＬＬパケットに重畳して無線送信し、ＦＰＵ受信機７０が、放送素材と共に受信した中継受信機識別情報が自機のＭＡＣアドレスと一致する場合に、当該放送素材をＦＰＵ送信機により無線送信させるように構成してある。
【００４４】
第１，第２実施例のいずれおいても、放送素材と共に送信された中継受信機識別情報と同じ識別情報を持つＦＰＵ受信機によって放送素材が受信された場合にのみ、そのＦＰＵ受信機に接続されたＦＰＵ送信機から放送素材を送信するように構成している。このため、ＦＰＵが放送素材を受信した場合に、本来の目的や意図から外れた中継が行われてしまうことを防止できる。また、発信元機器の保守時にその代替機を設置する場合にも、中継に用いるＦＰＵ受信機を作業員が代替機で選択するだけで、ＦＰＵ側の設定を変更することなく中継回線を維持することができる。また、無人かつ遠隔操作回線も設置できない山中等にＦＰＵが設置されている場合でも、その設置場所に作業員が赴いて作業する必要がないので、その派遣費用及び期間を削減できるだけでなく、設置場所までの登山等により作業員が負傷するリスクを無くすことができる。
【００４５】
ここで、上記の構成を拡張して、（１）放送素材がどの発信元から送信されたのか、または（２）どのような経路で中継されたのかを、中継先で把握できるようにすることもできる。
上記（１）を実現するには、発信元機器が、放送素材と共に中継受信機識別情報及び自機の識別情報を無線送信し、ＦＰＵ受信機が、放送素材と共に受信した中継受信機識別情報が自機の識別情報と一致する場合に、発信元機器の識別情報を当該放送素材と共にＦＰＵ送信機により無線送信させればよい。
また、上記（２）を実現するには、ＦＰＵ受信機が、放送素材と共に受信した中継受信機識別情報が自機の識別情報と一致する場合に、自機の識別情報を当該放送素材と共にＦＰＵ送信機により無線送信させればよい。
【００４６】
なお、発信元機器の識別情報やＦＰＵ受信機の識別情報を放送素材と共に送信するには、第１実施例と同様にＴＭＣＣキャリアに重畳してもよく、または第２実施例と同様にＴＳ信号のＮＵＬＬキャリアに重畳してもよい。また、中継受信機識別情報と発信元機器の識別情報やＦＰＵ受信機の識別情報とは、互いに異なる方式で送信することもできる。すなわち、一方はＴＭＣＣキャリアに重畳して送信し、他方はＴＳ信号のＮＵＬＬキャリアに重畳して送信してもよい。ただし、機器構成の煩雑化を防ぐには、各識別情報を同じ方式で送信することが好ましい。
【００４７】
（第３実施例）
図１１は、第３実施例に係る発信元機器９０による表示例を示す図である。図１２は、第３実施例に係る発信元機器９０の構成例を示す図である。
発信元機器９０は、制御端末９１、送信制御部９２、送信高周波部９３、アンテナ９４、回転架台９５を備えている。
【００４８】
制御端末９１は、放送素材の中継に使用できる複数のＦＰＵ受信機を操作者に提示して、その中から操作者に選択されたＦＰＵ受信機の識別情報を中継受信機識別情報として送信制御部９２に出力する。なお、ＦＰＵの設置状況によっては操作者に提示するＦＰＵ受信機が１つだけの場合もあり、この場合は、そのＦＰＵ受信機が操作者に選択されることになる。制御端末９１は、第１実施例に係る発信元機器１０の操作部１５、識別情報記憶部１６、映像処理部１７、ＬＣＤ部１８に対応する装置である。
送信制御部９２は、制御端末９１から入力された中継受信機識別情報を、第１実施例や第２実施例で説明したような方式で放送素材に重畳する。
【００４９】
中継受信機識別情報が重畳された放送素材は、送信高周波部９３に送られて、マイクロ波の信号に周波数変換され、電力増幅され、ＲＦ信号となる。そして、アンテナ９４から電波として送信される。このとき、制御端末９１は、中継点の方向にアンテナ９４を向けるために、操作者に選択されたＦＰＵ受信機の位置情報と発信元機器９０の位置情報とに基づいてアンテナの回転角を算出し、回転角情報を回転架台９５に出力する。回転架台９５は、制御端末９１から入力された回転角情報に応じた旋回を行って、中継点の方向にアンテナ９４を向ける。その後、アンテナ９４から放送素材が送信（発放）される。
【００５０】
なお、制御端末９１は、放送素材の中継に使用できる複数のＦＰＵ受信機を単純なリスト形式で提示してもよいが、図１１に示すように、地図上に各中継点のＦＰＵ受信機をマッピングして表示することが好ましい。これにより、予定していた中継点とは別の中継点を操作者が誤って選択してしまうことを防止できる。
【００５１】
以上説明したように、各実施例に係る放送素材中継システムでは、発信元機器が、放送素材と共に、当該放送素材の中継に用いる受信機を識別する中継受信機識別情報を無線送信し、ＦＰＵ受信機が、放送素材と共に受信した中継受信機識別情報が自機の識別情報と一致する場合に、放送素材を当該ＦＰＵ受信機に接続されたＦＰＵ送信機により無線送信させるように構成してある。
【００５２】
したがって、操作者の介在なしに放送素材の中継を行うにあたって、本来の目的（決められたチャンネル、決められた送受信機の関係、決められた地点間の伝送）に応じた中継動作を確実に行うことができる。また、本来の目的から逸脱した中継を防げるので、放送局が保持しているＦＰＵの帯域を運用計画に従って利用することで、ＦＰＵ回線全体の運用効率を向上させることができる。また、中継動作の対となる放送素材の発信元機器が交換となった場合でも、その発信元機器の設定を変更するだけで中継回線の開設が可能となり、中継回線網の可用性が改善される。例えば、前述の従来技術を利用した方式だと、ＦＰＵ受信機の設定の変更が必要なので、設定変更に係る人員・工具・工程の準備に１日（必要人員１人）、設定変更に係る実作業及び動作確認に２日（必要人員３人）を要すると仮定すれば、最低でも３日４名分の工程が想定されるが、本構成ではこれらを削減することができる。また、ＦＰＵの設置場所までの登山等で発生しかねない作業員の負傷リスクを無くすことができる。
【００５３】
なお、本発明に係るシステムや装置などの構成としては、必ずしも以上に示したものに限られず、種々な構成が用いられてもよい。
また、本発明は、上述した処理を実行する方法や方式、そのような方法や方式を実現するためのプログラム、そのプログラムを記憶する記憶媒体などとして提供することも可能である。
【産業上の利用可能性】
【００５４】
本発明は、発信元機器から無線送信された放送素材を中継する放送素材中継システムに利用することができる。
【符号の説明】
【００５５】
１０：発信元機器、  １１：エンコーダ、  １２：伝送路符号化部、  １３：主データ変調部、  １４：ＴＭＣＣ発生器、  １５：操作部、  １６：識別情報記憶部、  １７：映像処理部、  １８：ＬＣＤ部、  １９：ＯＦＤＭフレーム構成部、  ２０：送信高周波部、  ２１：アンテナ、
３０：ＦＰＵ受信機、  ３１：アンテナ、  ３２：受信高周波部、  ３３：分離部、  ３４：主データ復調部、  ３５：ＴＭＣＣ復号部、  ３６：伝送路復号化部、  ３７：デコーダ、  ３８：識別情報復号部、  ３９：機器情報記憶部、  ４０：識別情報比較部、  ４１：送信機制御情報生成部、
５０：発信元機器、  ５１：エンコーダ、  ５２：ＴＳパラレルシリアル変換部、  ５３：ＮＵＬＬパケット分離部、  ５４：巡回カウンタ再生成部、  ５５：識別情報記憶部、  ５６：ストリーム生成部、  ５７：主データ変調部、  ５８：ＯＦＤＭフレーム構成部、  ５９：送信高周波部、  ６０：アンテナ、
７０：ＦＰＵ受信機、  ７１：アンテナ、  ７２：受信高周波部、  ７３：分離部、  ７４：主データ復調部、  ７５ＴＭＣＣ復号部、  ７６：伝送路復号化部、  ７７：デコーダ、  ７８：識別情報復号部、  ７９：機器情報記憶部、  ８０：識別情報比較部、  ８１：送信機制御情報生成部、
９０：発信元機器、  ９１：制御端末、  ９２：送信制御部、  ９３：送信高周波部、  ９４：アンテナ、  ９５：回転架台
【図１】
2019097092.tif 000003
【図２】
2019097092.tif 000004
【図３】
2019097092.tif 000005
【図４】
2019097092.tif 000006
【図５】
2019097092.tif 000007
【図６】
2019097092.tif 000008
【図７】
2019097092.tif 000009
【図８】
2019097092.tif 000010
【図９】
2019097092.tif 000011
【図１０】
2019097092.tif 000012
【図１１】
2019097092.tif 000013
【図１２】
2019097092.tif 000014